(57)【特許請求の範囲】
【請求項１】
上から順に仕切板により区画されていると共に独立した扉で閉鎖されている冷蔵室と野菜室と、
この野菜室の背面に冷却器室カバーにより区画された冷却器室と、
この冷却器室に収納され冷媒が供給される冷蔵用冷却器と、
この冷蔵用冷却器で生成された冷気を前記冷蔵室に循環送風する冷却ファンと、
前記冷蔵用冷却器への冷媒の供給を停止したときは前記冷却ファンの駆動を継続することにより前記冷蔵用冷却器に付着した霜を蒸発させる加湿運転を実行する冷却ユニットとを備え、
前記野菜室は、前記冷蔵室からの冷気が流れ込むように設けられ、
前記野菜室に収納された上面開放タイプの引出し式の野菜容器と、
この野菜容器の上部後方に当該野菜容器の前方を開口した状態で装着され、前記冷却ファンにより送風された冷気の一部が直接的に送風される低温貯蔵容器とを備えたことを特徴とする冷蔵庫。
【請求項２】
冷却ユニットは、冷蔵用冷却器への冷媒の供給を停止してから冷却ファンの駆動を所定時間継続することにより加湿運転を実行することを特徴とする請求項１記載の冷蔵庫。
【請求項３】
冷蔵室内の下部に野菜室が設けられ、
前記冷蔵室と前記野菜室とは透明仕切板で仕切られていることを特徴とする請求項１または２記載の冷蔵庫。
【請求項４】
冷却器室カバーの前面には、冷蔵室から野菜室に送風された冷気が当該冷却器室カバーの前面に沿って送風されることを防止するリブが前方に突出形成されていることを特徴とする請求項１乃至３の何れかに記載の冷蔵庫。
【請求項５】
冷却器室は、冷蔵用冷却器の前面側に配置された断熱材と冷却器室カバーとの間の間隙により上記冷蔵用冷却器に至る冷気の吸込路を形成するように構成されていることを特徴とする請求項１乃至４の何れかに記載の冷蔵庫。
【請求項６】
仕切板により区画されていると共に独立した扉で閉鎖されている冷蔵室と野菜室と、
冷蔵用冷却器で生成された冷気を前記冷蔵室及び前記野菜室に循環送風する冷却ファンと、
前記冷蔵用冷却器への冷媒の供給を停止したときは前記冷却ファンの駆動を継続することにより前記冷蔵用冷却器に付着した霜を蒸発させる加湿運転を実行する冷却ユニットと、
前記野菜室に収納された上面開放タイプの引出し式の野菜容器と、
この野菜容器の上部後方に当該野菜容器の前方を開口した状態で装着され、前記冷却ファンにより送風された冷気の一部が直接的に送風される低温貯蔵容器とを備えた低温貯蔵容器の上面に開閉自在に装着されたカバーとを備え、
前記カバーには、前記低温貯蔵容器に供給された冷気を排出する手掛けを兼ねた孔が形成されていることを特徴とする冷蔵庫。
【請求項７】
野菜室の内壁に設けられ、低温貯蔵容器の上部に装着されたカバーを案内するビートを備えたことを特徴とする請求項６記載の冷蔵庫。
【発明の詳細な説明】
【０００１】
【発明の属する技術分野】
本発明は、上から順に仕切板により区画されていると共に独立した扉で閉鎖されている冷蔵室と当該冷蔵室からの冷気が流れ込む野菜室とを備えた冷蔵庫に関する。
【０００２】
【発明が解決しようとする課題】
従来より、冷蔵庫では冷却器で生成した冷気を冷凍室に循環送風すると共に、冷蔵室（例えば２℃）の設定温度に応じて冷蔵室への吹出口をダンパにより開閉することにより冷気を適度に冷蔵室にも循環送風するようにしていた。
【０００３】
ところで、冷蔵庫に野菜室を設けた場合、冷却器により冷却されることにより乾燥した冷気を野菜室に送風したのでは、野菜が短時間で乾燥してしまうことから、野菜室に収納される野菜容器の上面を透湿性カバーで覆うことにより野菜容器内を適度な湿度（約９０％）に維持するようにしている。
しかしながら、透湿性カバーはコストが高いことから、その削減が望まれていた。
一方、野菜室は引出し構造となっており、その上部のスペースは有効に利用されていないことから、その利用が望まれている。
【０００４】
本発明は上記事情に鑑みてなされたもので、その目的は、野菜容器のコストを低減することができると共に野菜室のスペース効率を高めることができる冷蔵庫を提供することにある。
【０００５】
【課題を解決するための手段】
本発明の冷蔵庫は、上から順に仕切板により区画されていると共に独立した扉で閉鎖されている冷蔵室と野菜室を設け、この野菜室の背面に冷却器室カバーにより区画された冷却器室を設け、この冷却器室に収納され冷媒が供給される冷蔵用冷却器を設け、この冷蔵用冷却器で生成された冷気を前記冷蔵室に循環送風する冷却ファンを設け、前記冷蔵用冷却器への冷媒の供給を停止したときは前記冷却ファンの駆動を継続することにより前記冷蔵用冷却器に付着した霜を蒸発させる加湿運転を実行する冷却ユニットを設けた上で、前記野菜室を、前記冷蔵室からの冷気が流れ込むように設け、前記野菜室に収納された上面開放タイプの引出し式の菜容器を設け、この野菜容器の上部後方に当該野菜容器の前方を開口した状態で装着され、前記冷却ファンにより送風された冷気の一部が直接的に送風される低温貯蔵容器を設けたものである（請求項１）。
【０００６】
このような構成によれば、冷却器室に収納された冷蔵用冷却器に冷媒が供給されると、冷蔵用冷却器が冷却される。この状態で冷却ファンが駆動されると、冷蔵用冷却器で生成された冷気が冷蔵室を通じて野菜室にも送風されるので、野菜室の温度が低下する。
【０００７】
そして、冷蔵室の温度が設定温度まで低下すると、冷却ユニットは、冷蔵用冷却器への冷媒の供給を停止するものの、冷却ファンを駆動を継続することにより加湿運転を実行する。
【０００８】
このとき、冷蔵用冷却器は冷媒の供給により着霜しているので、冷却ユニットが加湿運転を実行したときは、冷蔵用冷却器に付着している霜が蒸発する。これにより、冷蔵室及び野菜室を循環送風される冷気の湿度が上昇するので、野菜室に収納されている野菜が乾燥してしまうことが防止される。従って、野菜容器としてコストの安い上面開放タイプのものを使用することができる。
【０００９】
上記構成において、冷却ユニットは、冷蔵用冷却器への冷媒の供給を停止してから冷却ファンの駆動を所定時間継続することにより加湿運転を実行するようにしてもよい（請求項２）。
【００１０】
このような構成によれば、冷却ユニットは、冷蔵用冷却器への冷媒の供給を停止したときは、そのタイミングから冷却ファンの駆動を所定時間継続することにより加湿運転を実行する。これにより、冷蔵室及び野菜室を循環送風される冷気の湿度を短時間で高めながら、冷気の循環送風による冷蔵用冷却器の過度の温度上昇を防止することができる。
【００１１】
また、冷蔵室内の下部に野菜室が設けられ、前記冷蔵室と前記野菜室とは透明仕切板で仕切られていてもよい（請求項３）。
このような構成によれば、冷蔵室と野菜室とは透明仕切板で仕切られているので、冷蔵室の扉を開放すると、透明仕切板を介して野菜室に収納されている野菜を確認することができ、使用勝手に優れている。この場合、冷蔵室と野菜室とは略同一温度であることから、透明仕切板が曇ってしまうことはない。
【００１４】
また、冷却器室カバーの前面には、冷蔵室から野菜室に送風された冷気が当該冷却器室カバーの前面に沿って送風されることを防止するリブが前方に突出形成されていてもよい（請求項４）。
【００１５】
このような構成によれば、冷蔵室から野菜室に送風されると、野菜室の背面に位置する冷却器室カバーの前面に沿って送風されようとするものの、冷却器室の前面にはリブが前方に突出形成されているので、冷却器室カバーの前面に沿って送風される冷気の送風経路がリブにより前方側に変更される。これにより、冷気が冷蔵用冷却器にショートリターンするのを防止することができるので、冷却効率が低下してしまうことが防止できる。
【００１６】
また、冷却器室は、冷蔵用冷却器の前面側に配置された断熱材と冷却器室カバーとの間の間隙により上記冷蔵用冷却器に至る冷気の吸込路を形成するように構成されていてもよい（請求項５）。
【００１７】
このような構成によれば、冷却器室内に配置された冷蔵用冷却器の前面は断熱材が配置されており、これにより野菜室との断熱が図られている。
さて、冷蔵室から野菜室に送風された冷気は冷却器室カバーに形成された吸入口から冷却器室内に吸込まれる。このとき、冷却器室カバーと断熱材との間隙により冷蔵用冷却器に至る吸込路が形成されているので、冷却器室の構造を簡単化することができ、冷却器室のコストを低減することができると共に小形化を図ることができる。
【００１８】
本発明は、仕切板により区画されていると共に独立した扉で閉鎖されている冷蔵室と野菜室を設け、冷蔵用冷却器で生成された冷気を前記冷蔵室に循環送風する冷却ファンを設け、前記冷蔵用冷却器への冷媒の供給を停止したときは前記冷却ファンの駆動を継続することにより前記冷蔵用冷却器に付着した霜を蒸発させる加湿運転を実行する冷却ユニットを設け、前記野菜室に収納された上面開放タイプの引出し式の野菜容器を設け、この野菜容器の上部後方に当該野菜容器の前方を開口した状態で装着され、前記冷却ファンにより送風された冷気の一部が直接的に送風される低温貯蔵容器とを備えた低温貯蔵容器の上面に開閉自在に装着されたカバーを設けた上で、前記カバーに、前記低温貯蔵容器に供給された冷気を排出する手掛けを兼ねた孔を形成したものである（請求項６）。
【００１９】
上記構成において、野菜室の内壁に、低温貯蔵容器の上部に装着されたカバーを案内するビートを設けるようにしてもよい（請求項７）。
【００２０】
【発明の実施の形態】
（第１の実施の形態）
以下、本発明の第１の実施の形態を図１乃至図１３を参照して説明する。
図２は冷蔵庫の全体を斜視して示している。この図２において、冷蔵庫１には上方から冷蔵室２、野菜室３、製氷室４、温度切替室５、冷凍室６が設けられており、それぞれ扉７〜１１により閉鎖されている。
【００２１】
図１は冷蔵庫の断面構造を示し、図３は扉及び収納容器を外した冷蔵庫の正面を概略的に示している。これらの図１及び図３において、冷蔵庫本体１２は前面が開口する矩形箱状をなしており、樹脂製の内箱と鋼板製の外箱との間にウレタンフォーム等の発泡性断熱材を充填して形成されている。
【００２２】
ここで、冷蔵庫本体１２の中間部には断熱仕切壁１３が一体に形成されており、これにより、冷蔵庫本体１２において断熱仕切壁１３の上方と下方とでは異なる温度空間に設定されている。つまり、冷蔵室２と野菜室３とは同一温度空間に設定され、製氷室４及び冷凍室６は同一温度空間に設定されている。尚、温度切替室５は製氷室４及び冷凍室６と断熱仕切壁により区画されており、製氷室４及び冷凍室６から独立した温度空間に設定可能となっている。
【００２３】
冷蔵室２の背面及び天上面に沿って送風ダクト１４が設けられており、その送風ダクト１４の先端開口部１５及び中間吹出口１６を通じて冷蔵室２全体に送風されるようになっている。
【００２４】
冷蔵室２の下部には引出し式のチルドケース１７が配置されている。このチルドケース１７の奥端部にはカバー１８との間に通風口１９が形成されており、その通風口１９が送風ダクト１４の中間吹出口１６と対向している。従って、送風ダクト１４から送風される冷気の一部はチルドケース１７に直接的に送風されるようになっている。
【００２５】
野菜室３の背面には冷蔵用冷却器室２０（以下、Ｒエバ室）が形成されている。
即ち、Ｒエバ室２０を断面にして詳細に示す図４において、Ｒエバ室２０の前面には冷蔵用冷却器室カバー２１（以下、Ｒエバ室カバー）が配設されており、そのＲエバ室カバー２１により野菜室３の背面壁が形成されている。Ｒエバ室カバー２１の上部には吹出口２２が形成され、その下方には複数の吸込口２３が形成されている。
【００２６】
Ｒエバ室カバー２１の裏面には断熱材２４が添着されている。この断熱材２４においてＲエバ室カバー２１の吸込口２３の後方となる部位はＲエバ室カバー２１の裏面から奥方側に離間した形状に形成されており、これによりＲエバ室カバー２１と断熱材２４とにより吸込路２５が形成されている。断熱材２４と冷蔵庫本体１２との間には冷蔵用冷却器２６（以下、Ｒエバ）が配置されており、吸込口２３から吸込まれた冷気が吸込路２５を通じてＲエバ２６を通過するようになっている。
【００２７】
上記断熱材２４の上部には送風路を形成する断熱材２７が一体に設けられており、その断熱材２７に冷蔵用ファン２８（冷却ファンに相当、以下、Ｒファン）が取着されている。このＲファン２８は断熱材２７の背面側から取着されており、これによりＲファン２８の送風方向は図中に矢印で示すように後方側となっている。この断熱材２７には吹出口２９が突出形成されており、その吹出口２９がＲエバ室カバー２１に形成された吹出口２２と連通している。従って、Ｒファン２８による送風された冷気の一部は野菜室３にも直接送風されるようになっている。
【００２８】
野菜室３には扉８と一体化された野菜容器３０が収納されており、扉８が引出されるのに伴って図示しない滑車に案内されて前方に引出されるようになっている。
【００２９】
図５は野菜室３を断面にして示している。この図５において、野菜容器３０の上部にはチルドケース３１（低温貯蔵容器に相当）が搭載されている。つまり、野菜容器３０の側壁内面には滑車用ビード３２（図６参照）が形成されており、その滑車用ビード３２にチルドケース３１の底面に設けられた滑車３３が転動可能に載置されている。この滑車用ビード３２の前端には陥没状のストッパ部３４が形成されており、チルドケース３１の滑車３３がそのストッパ部３４に落込んだ状態で定位置に位置決めされるようになっている。
【００３０】
尚、野菜容器３０の底面は図６に示すように段差形状に形成されている。これは、チルドケース３１の容積を確保しながら、野菜容器３０に大きさの異なる野菜を効率よく収納するためである。また、野菜容器３０の前部にはペットボルトの収納に適した収納部３５が形成されている。
【００３１】
チルドケース３１を示す図７において、チルドケース３１の上端周縁部には取手部３１ａと一体化された鍔部３１ｂが形成されており、その鍔部３１ｂにカバー３６がスライド可能に搭載されている。
【００３２】
ここで、前後方向を指向した鍔部３１ｂの前端には突起状の第１のストッパ部３７が形成されていると共に、その第１のストッパ部３７から所定寸法後方となる部位に突起状の第２のストッパ部３８が形成されており、カバー３６の周縁端部が第１のストッパ部３７に係止された状態ではチルドケース３１の上面がカバー３６で閉鎖されると共に、カバー３６が後方にスライドされた状態ではカバー３６の周縁部が第２のストッパ部３８に係止することによりチルドケース３１の上面が半分開放された形態となる。
【００３３】
この場合、第１のストッパ部３７と第２のストッパ部３８との間は高さが０．５ｍｍで幅が２ｍｍの突条部３９（図６参照）により連結されている。
また、チルドケース３１の上端にはＬ字状の係止部４０が形成されており、その係止部４０によりカバー３６の浮上がりが防止されている。また、チルドケース３１の上端後部及びカバー３６の後部にはそれぞれ案内部４１及び４２が側方に突出形成されており、それらの案内部４１及び４２が野菜室３の内壁に前後方向に形成された内箱ビート４３（図６参照）に挿入されていることによりチルドケース３１及びカバー３６が内箱ビート４３に沿ってスライドされるようになっている。
【００３４】
ここで、チルドケース３１がカバー３６で閉鎖された状態では、チルドケース３１の後端部に形成された切欠部４４とカバー３６の後端部とにより通風口４５が形成されるものであり、図５に示すようにチルドケース３１が定位置に位置した状態では、通風口４５にＲエバ室カバー２１の前面に形成された吹出口２２が位置するようになっている。
【００３５】
チルドケース３１のカバー３６の前端部には手掛けを兼ねた孔４６が形成されており、チルドケース３１に送風された冷気はその孔４６を通じて野菜室３に送風されるようになっている。
【００３６】
図５に戻って冷蔵室２と野菜室３とは透明仕切板４７で仕切られており、その透明仕切板４７の後端部に連通口４８が形成されている。従って、冷蔵室２と野菜室３とは連通しており、冷蔵室２に送風された冷気は野菜室３にも送風されるようになっている。
【００３７】
Ｒエバ室カバー２１において吹出口２２の上方にはリブ４９が突出形成されており、チルドケース３１が野菜室３の定位置に位置した状態では、そのリブ４９の下方にチルドケース３１のカバー３６の奥端部が位置するようになっている。従って、冷蔵室２から透明仕切板４７の連通口４８を通じて野菜室３に送風される冷気が野菜室３の背面に沿ってＲエバ室２０にショートリターンすることが防止されている。
【００３８】
一方、図１に示すように冷凍室６の背面には冷凍用冷却器室５０（以下、Ｆエバ室）が形成されており、そのＦエバ室５０に冷凍用冷却器５１（以下、Ｆエバ）及び冷凍用冷却ファン５２（以下、Ｆファン）が配置されている。Ｆファン５２の駆動状態では、Ｆエバ５１で生成された冷気はＦファン５２により製氷室４、温度切替室５及び冷凍室６に循環送風される。
【００３９】
ここで、温度切替室５の周囲は発泡スチロールからなる断熱仕切壁により区画されており、温度切替室５が製氷室４及び冷凍室６から独立して温度調整可能に構成されている。つまり、温度切替室５には温度センサ（図示せず）が設けられており、ダンパ（図示せず）の開閉に応じて冷気が温度切替室５に送風されることにより所定の設定温度に調整されるようになっている。この場合、設定温度としては使用者の使用用途に応じて設定されるようになっており、その使用用途としては、冷凍室（約−１８℃）、パーシャル室（約−３℃）、チルド室（約０℃）、冷蔵室（約２℃）、野菜室（約３℃）、ワイン冷却室（約８℃）が設定されている。
【００４０】
図８は冷蔵庫１の冷却ユニットを概略的に示している。この図８において、冷却ユニット５３は、インバータコンプレッサ５４、コンデンサ５５、Ｒエバ２６、Ｆエバ５１を連結して構成されている。つまり、冷蔵庫１の底面に設けられた機械室にはインバータコンプレッサ５４が配置されており、そのインバータコンプレッサ５４の吐出側は冷蔵庫１の底面に配設されたコンデンサ５５の流入側に接続され、コンデンサ５５の流出側は三方弁５６の流入側と接続されている。三方弁５６の一方の流出口は冷蔵用キャピラリ５７を介してＲエバ２６と接続され、他方の流出口は冷凍用キャピラリ５８を介してＦエバ５１と接続されている。そして、Ｒエバ２６の流出側とＦエバ５１の流入側とが接続されていると共に、Ｆエバ５１の流出側はインバータコンプレッサ５４の吸込側と接続されている。
【００４１】
図９は冷却ユニット５３の制御タイミングを示している。この図９において、冷却ユニット５３は、冷蔵室２の温度が設定温度である２℃よりも高くなったときは冷蔵室冷却モード（以下、Ｒ冷却モード）を実行し、冷凍室６の温度が−２０℃よりも高くなったときは冷凍室冷却モード（以下、Ｆ冷却モード）を実行するようになっている。つまり、Ｒ冷却モードを実行したときは三方弁５６の切替により冷媒をＲエバ２６に供給した状態でインバータコンプレッサ５４を１４０Ｗの出力で運転し、Ｆ冷却モードを実行したときは三方弁５６の切替により冷媒をＦエバ５１に供給した状態でインバータコンプレッサ５４を９０Ｗの出力で運転するようになっている。
【００４２】
ここで、冷却ユニット５３は、Ｒファン２８及びＦファン５２をＲ冷却モード及びＦ冷却モードの実行に応じて駆動するものの、Ｒファン２８にあっては、Ｒエバ２６への冷媒の供給を停止した後においても所定時間（例えば５分間）だけ継続して駆動する加湿運転を行うようになっている。これは、Ｒエバ２６に付着した霜を蒸発させることにより冷蔵庫１の送風される冷気の湿度を高めるためであり、このように冷蔵室２に送風される冷気の湿度を高めた点が本冷蔵庫の特徴となっている。
【００４３】
また、Ｒエバ２６及びＦエバ５１に選択的に冷媒を供給することによりこれらの各エバ２６及び５１を時分割で冷却することから、１個の冷却器で冷蔵室及び冷凍室を冷却する構成に比較して、冷却ユニットの冷凍能力が低くてすみ、それだけコンプレッサとして低出力、換言すれば低消費電力のコンプレッサを採用することが可能となり、この点も本冷蔵庫の特徴となっている。
【００４４】
次に上記構成の作用について説明する。
冷蔵室２の温度が設定温度である２℃を上回ったときは、冷却ユニット５３はＲ冷却モードを実行する。つまり、三方弁５６を切替えることにより冷媒をＲエバ２６に供給した状態でインバータコンプレッサ５４を１４０Ｗの出力で運転する。このような運転状態ではＲエバ２６は約−１８℃に冷却されるので、Ｒ冷却モードの実行に応じてＲファン２８が駆動した状態では、約−１８℃の冷気が冷蔵室２に送風される。
【００４５】
ここで、冷蔵室２と野菜室３とは透明仕切板４７で仕切られているものの、透明仕切板４７の所定部位には連通口４８が形成されて連通しているので、Ｒ冷却モードの実行により冷蔵室２に送風された冷気は野菜室３にも送風されるようになり、野菜室３の温度が低下する。この場合、野菜室３に送風される冷気は冷蔵室２を通過する際に若干吸熱して温度上昇することから、冷蔵室２が２℃に冷却された状態では、野菜室３の温度は冷蔵室２の温度よりも若干高い３℃に冷却される。
【００４６】
一方、冷凍室６の温度が設定温度である−２０℃を上回ったときは、冷却ユニット５３はＦ冷却モードを実行する。つまり、三方弁５６を切替えることにより冷媒をＦエバ５１に供給した状態でインバータコンプレッサ５４を９０Ｗの出力で運転する。このような運転状態では、Ｆエバ５１は約−２５℃に冷却されるので、Ｆ冷却モードの実行に応じてＦファン５２が駆動した状態では、約−２５℃の冷気が製氷室４及び冷凍室６に送風される。
【００４７】
尚、温度切替室５にあっては、設定された使用用途に応じた温度にダンパの開閉に伴って約−２５℃の冷気が送風されることにより使用者による設定用途に応じた温度に調整される。
【００４８】
ところで、本実施の形態では、冷却ユニット５３は、上述のようにしてＲ冷却モードの実行が終了した場合は、所定時間（例えば５分間）だけＲファン２８の駆動を継続するようにしている。これにより、Ｒ冷却モードの実行により約−１８℃に冷却されていたＲエバ２６には冷媒の供給停止状態で冷蔵室２及び野菜室３を循環送風されていた約２〜３℃の冷気が送風されるようになるので、Ｒエバ２６に付着している霜が短時間で蒸発するようになる。この結果、冷蔵室２及び野菜室３を循環送風される冷気の湿度は約３５％から７０％以上に短時間で上昇するようになる。
【００４９】
このように高湿度の冷気が野菜室３に送風される結果、上面開放タイプの野菜容器３０に収納されている野菜が乾燥してしまうことが防止されるので、野菜の長期保存が可能となる。
【００５０】
一方、野菜容器３０の上部に載置されているチルドケース３１にはＲエバ２６から約−１８℃の冷気が直接送風されている。このとき、チルドケース３１はカバー３６により閉鎖されていると共にカバー３６にはリターン用の孔４６が形成されているので、チルドケース３１に送風された冷気は、カバー３６に形成された孔４６を通じて野菜室３に送風される。これにより、チルドケースの温度は野菜室３の温度（約３℃）よりも１〜２℃低い温度（約１〜２℃）に冷却される。この場合、カバー３６に形成された孔４６は手掛けも兼用しているので、カバー３６に手掛け用の取手を特別に形成する必要がない。
【００５１】
このようにＲエバ２６からの冷気の一部を野菜室３内のチルドケース３１に送風するように構成した結果、Ｒファン２８の吸入側の圧力を高めることができるので、Ｒエバ２６からの冷気の全てを冷蔵室２に送風する構成に比較して、Ｒファン２８の圧損差を減少することができ、冷却効率を高めることができる。
【００５２】
ところで、野菜容器３０を引出したときは、図１０に示すように野菜容器３０の上部に搭載されたチルドケース３１も一体に引出される。この状態で、チルドケース３１に収納された食品を取出すときは、チルドケース３１を覆っているカバー３６を奥方に押す。すると、チルドケース３１の第１のストッパ部３７に係止されていたカバー３６が第１のストッパ部３７を乗越えるので、図１１に示すようにカバー３６が奥方にスライドして第２のストッパ部３８に係止したところでカバー３６がチルドケース３１に対して位置決めされる。このとき、カバー３６はチルドケース３１の鍔部３１ｂに形成された高さ０．５ｍｍで幅が２ｍｍの突条部３９上を摺接しながらスライドするので、カバー３６のスライド時に発生する傷が突条部３９に対応した極めて狭い範囲に限定されることになる。これにより、チルドケース３１全体が透明樹脂で形成されているにしても、チルドケース３１の見栄えが悪化することはない。
【００５３】
また、野菜容器３０に収納されている野菜を取出すときは、野菜容器３０の上部に位置するチルドケース３１を奥方に押す。すると、チルドケース３１の底面に設けられている滑車３３が野菜容器３０の内壁面に形成されている滑車用ビード３２のストッパ部３４から脱出して滑車用ビード３２上を進行し、図１２に示すように滑車用ビード３２の奥端に当接したところで位置決めされる。この状態では、チルドケース３１の上面はカバー３６により完全に閉鎖される。
【００５４】
尚、チルドケース３１のカバー３６が閉鎖状態、或いは半開状態でチルドケース３１を奥方に移動したときは、図１３に示すようにチルドケース３１に形成された案内部４１がカバー３６に形成された案内部４２に当接するようになるので、チルドケース３１の奥方への移動に伴ってカバー３６が内箱ビード４３に沿って奥方に移動する。
【００５５】
そして、野菜容器３０を野菜室３に収納するために野菜容器３０を奥方に移動すると、チルドケース３１が停止した状態で野菜容器３０が奥方に移動し、チルドケース３１の滑車３３が野菜容器３０の滑車用ビード３２のストッパ部３４の後端部に位置したところで、チルドケース３１が野菜容器３０と一体に野菜室３内に位置決めされるようになる。
【００５６】
このような本実施の形態によれば、冷却ユニット５３としてＦエバ５１に加えてＲエバ２６を独立して設けると共に冷蔵室２の下方に野菜室３を連通して設け、Ｒ冷却モードの終了時にＲファン２８の運転を所定時間継続することによりＲエバ２６に付着した霜を短時間で蒸発させる加湿モードを実行するようにしたので、冷蔵室２及び野菜室３を循環送風される冷気の湿度を高めることができる。従って、野菜容器の上面を透湿性カバーで覆う従来構成に比較して、透湿性カバーを省略することができ、野菜容器３０のコストを低減することができると共に、透湿性カバーの配置スペースを削減して野菜室３のスペース効率を高めることができる。
【００５７】
また、冷蔵室２と野菜室３との間を透明仕切板４７で仕切るようにしたので、冷蔵室２の扉７を開放した際に、透明仕切板４７を介して野菜容器３０に収納されている野菜を確認することができ、使用勝手に優れた構造となっている。
【００５８】
また、野菜容器３０の上部にチルドケース３１を搭載し、Ｒエバ２６からの冷気をチルドケース３１に直接的に送風するようにしたので、野菜容器３０の上部のスペースを利用してチルド室の拡大を図ることができる。
【００５９】
さらに、Ｒエバ室２０においては、断熱材２４の配置を工夫することによりＲエバ室カバー２１と断熱材２４とによりＲエバ２６に至る吸込路２５を形成するようにしたので、Ｒエバ室２０の構造を簡単化することができ、コストを低減することができると共に小形化を図ることができる。
【００６０】
（第２の実施の形態）
次に本発明の第２の実施の形態を図１４を参照して説明するに、第１の実施の形態と同一部分には同一符号を付して説明を省略する。この第２の実施の形態は、Ｒエバ室２０のＲファン２８をＲエバ室２０を形成するための断熱材の前面側から取着したことを特徴とする。
【００６１】
即ち、Ｒエバ室カバー２１の裏面に添着された断熱材５９には吸込路６０を形成するための断熱材６１が一体化されており、その断熱材６１にＲファン２８が前面側から装着されている。これにより、Ｒファン２８の駆動状態では冷気は図中に矢印で示すように前方側に送風される。
【００６２】
一方、断熱材５９には吹出口６２が形成されており、その吹出口６２がＲエバ室カバー２１に形成された吹出口２２と連通しており、これによりＲファン２８の駆動状態ではＲエバ室カバー２１の吹出口２２から冷気がチルドケース３１に送風される。
【００６３】
この第２の実施の形態によれば、Ｒエバ室２０を形成するための断熱材６１にＲファン２８を前面側から取着することにより送風路が反対方向となるにしても、断熱材６１の形状を工夫することにより送風路を形成するようにしたので、第１の実施の形態と同様に、Ｒエバ室２０の構成を簡単化することができると共に小形化を図ることができる。
【００６４】
本発明は、上記実施の形態に限定されるものではなく、次のように変形または拡張できる。
冷蔵室２及び野菜室３のみを備えた冷蔵庫に適用するようにしてもよい。
Ｒエバへの冷媒供給が停止された状態でＲ冷却ファンを駆動する際に、Ｒ冷却ファンの回転数を高めるようにしてもよい。この場合、冷蔵室及び野菜室に循環送風される冷気の湿度を短時間で高めることができる。
【００６５】
【発明の効果】
以上の説明から明らかなように、本発明の冷蔵庫によれば、冷却器室に配置された冷蔵用冷却器で生成された冷気を冷却ファンで送風することにより冷蔵室及び野菜室に循環送風する際に、冷蔵用冷却器への冷媒の供給が停止された状態で冷却ファンを駆動することにより冷蔵用冷却器に付着した霜を蒸発させることにより冷蔵室及び野菜室を循環送風される冷気の湿度を高めるようにしたので、野菜室に収納された野菜容器としては上面開放タイプのものを使用することができ、野菜容器のコストを低減することができると共に野菜室のスペース効率を高めることができるという優れた効果を奏する。
【図面の簡単な説明】
【図１】本発明の一実施の形態における冷蔵庫の断面図
【図２】冷蔵庫の斜視図
【図３】冷蔵庫の扉及び収納容器を外した状態で示す冷蔵庫の正面図
【図４】冷蔵用冷却器室を示す断面図
【図５】野菜室の断面図
【図６】野菜容器の斜視図
【図７】チルドケースの断面図
【図８】冷却ユニットの構成を示す概略図
【図９】冷却ユニットの動作タイミングを示す図
【図１０】野菜容器を引出した状態で示す図５相当図
【図１１】チルドケースのカバーを押込んだ状態で示す図５相当図
【図１２】チルドケースを押込んだ状態で示す図５相当図
【図１３】チルドケース及びカバーの案内部を示す断面図
【図１４】本発明の第２の実施の形態を示す図４相当図
【符号の説明】
１は冷蔵庫、２は冷蔵室、３は野菜室、２０は冷蔵用冷却器室、２１は冷蔵室冷却器室カバー、２６は冷蔵用冷却器、２８は冷蔵用ファン（冷却ファン）、３０は野菜容器、３１はチルドケース（低温貯蔵容器）、３６はカバー、４９はリブ、５１は冷凍用冷却器、５３は冷却ユニットである。
【図１】
0003559715.tif 000002
【図２】
0003559715.tif 000003
【図３】
0003559715.tif 000004
【図４】
0003559715.tif 000005
【図５】
0003559715.tif 000006
【図６】
0003559715.tif 000007
【図７】
0003559715.tif 000008
【図８】
0003559715.tif 000009
【図９】
0003559715.tif 000010
【図１０】
0003559715.tif 000011
【図１１】
0003559715.tif 000012
【図１２】
0003559715.tif 000013
【図１３】
0003559715.tif 000014
【図１４】
0003559715.tif 000015